(57)【要約】【課題】カード挿入口に硬貨が誤って挿入されることを簡素な構造で防ぐ。【解決手段】カード取扱装置は、情報を記憶するカードが挿入されるカード挿入口と、カード挿入口から挿入されたカードを搬送する搬送機構と、カード挿入口からカードの挿入方向に沿ってカード挿入口の外側に突出して設けられ、カード挿入口への硬貨の挿入を規制する規制部材と、を備える。【選択図】図４
2020135661.tif 000002
【特許請求の範囲】
【請求項１】
情報を記憶するカードが挿入されるカード挿入口と、
前記カード挿入口から挿入された前記カードを搬送する搬送機構と、
前記カード挿入口から前記カードの挿入方向に沿って前記カード挿入口の外側に突出して設けられ、前記カード挿入口への硬貨の挿入を規制する規制部材と、を備える、
カード取扱装置。
【請求項２】
前記規制部材は、前記カード挿入口からの突出量が、前記カード挿入口への挿入が規制される複数種類の硬貨における最大の硬貨の外径以上である、
請求項１に記載のカード取扱装置。
【請求項３】
前記規制部材は、前記カード挿入口の上縁から前記挿入方向に沿って延びる下面を有し、前記カード挿入口からの前記下面の長さが前記突出量である、請求項２に記載のカード取扱装置。
【請求項４】
前記規制部材の下方には、前記カード挿入口に近づく前記硬貨が落下する空間をあけて、落下した前記硬貨を受ける受け部材が設けられている、
請求項１ないし３のいずれか１項に記載のカード取扱装置。
【請求項５】
前記規制部材は、光透過性を有する、
請求項４に記載のカード取扱装置。
【請求項６】
前記受け部材には、前記挿入方向に直交する前記カードの幅方向における両側に、前記カードの位置を規制する一対の下ガイド部が設けられている、
請求項４または５に記載のカード取扱装置。
【請求項７】
前記一対の下ガイド部は、前記幅方向に対する間隔が前記カード挿入口に向かって徐々に小さくなるテーパ面を有する、
請求項６に記載のカード取扱装置。
【請求項８】
前記規制部材には、前記挿入方向に直交する前記カードの幅方向における両側に、前記カードの位置を規制する一対の上ガイド部が設けられている、
請求項１ないし７のいずれか１項に記載のカード取扱装置。
【請求項９】
前記一対の上ガイド部は、前記幅方向に対する間隔が前記カード挿入口に向かって徐々に小さくなるテーパ面を有する、
請求項８に記載のカード取扱装置。
【請求項１０】
請求項１ないし９のいずれか１項に記載のカード取扱装置と、
紙葉類を取り扱う紙葉類取扱装置と、
を備える、紙葉類処理装置。
【発明の詳細な説明】
【技術分野】
【０００１】
本発明は、カード取扱装置及び紙葉類処理装置に関する。
【背景技術】
【０００２】
例えば、現金自動預け払い機（ＡＴＭ：Automated  Teller  Machine）等として用いられる紙幣処理装置には、キャッシュカード等のカードを取り扱うカード取扱装置を備えるものが知られている。この種のカード取扱装置としては、カードが挿入されるカード挿入口と、カード挿入口から挿入されたカードを搬送する搬送機構と、カードから情報を読み取る読取部と、を備えるものがある。
【先行技術文献】
【特許文献】
【０００３】
【特許文献１】特開２００３−３１７０４５号公報
【発明の概要】
【発明が解決しようとする課題】
【０００４】
カード挿入口を備えるカード取扱装置では、誤って硬貨がカード挿入口から挿入される場合があり、カード挿入口から挿入された硬貨によって、読取部や搬送機構等が損傷するおそれがある。このため、例えば、カード挿入口の内部に、カード挿入口からのカードの挿入を許容して硬貨等の異物の挿入を規制するシャッタ機構が設けられる場合には、カード取扱装置の内部の構造が複雑化する不都合がある。また、カード挿入口の内部から硬貨を排出するための排出部がカード取扱装置に設けられる場合には、カード挿入口の内部構造の複雑化、カード取扱装置の大型化を招く。
【０００５】
開示の技術は、上記に鑑みてなされたものであって、カード挿入口に硬貨が誤って挿入されることを簡素な構造で防ぐことができるカード取扱装置及び紙葉類処理装置を提供することを目的とする。
【課題を解決するための手段】
【０００６】
本願の開示するカード取扱装置の一態様は、情報を記憶するカードが挿入されるカード挿入口と、前記カード挿入口から挿入された前記カードを搬送する搬送機構と、前記カード挿入口から前記カードの挿入方向に沿って前記カード挿入口の外側に突出して設けられ、前記カード挿入口への硬貨の挿入を規制する規制部材と、を備える。
【発明の効果】
【０００７】
本願の開示するカード取扱装置の一態様によれば、カード挿入口に硬貨が誤って挿入されることを簡素な構造で防ぐことができる。
【図面の簡単な説明】
【０００８】
【図１】図１は、実施例のカード取扱装置を備える紙葉類処理装置を示す斜視図である。
【図２】図２は、実施例のカード取扱装置を示す透視平面図である。
【図３】図３は、実施例のカード取扱装置を模式的に示す断面図である。
【図４】図４は、実施例のカード取扱装置の要部を示す斜視図である。
【図５】図５は、実施例のカード取扱装置の要部を説明するための正面図である。
【図６】図６は、実施例のカード取扱装置の要部を説明するための断面図である。
【図７】図７は、実施例のカード取扱装置の要部を示す分解斜視図である。
【発明を実施するための形態】
【０００９】
以下に、本願の開示するカード取扱装置及び紙葉類処理装置の実施例を図面に基づいて詳細に説明する。なお、以下の実施例によって、本願の開示するカード取扱装置及び紙葉類処理装置が限定されるものではない。
【実施例】
【００１０】
（紙葉類処理装置の構成）
図１は、実施例のカード取扱装置を備える紙葉類処理装置を示す斜視図である。図１に示すように、紙葉類処理装置１は、カード３を取り扱うカード取扱装装置としてのカード取扱部５と、紙葉類を取り扱う紙葉類取扱装置としての現金取扱部６と、を備えており、いわゆる現金自動預け払い機（ＡＴＭ）である。また、紙葉類処理装置１は、預金通帳を取り扱う通帳取扱部７と、各種情報を表示すると共に利用者が各種操作を行うための表示操作部８と、を備える。現金取扱部６は、紙葉類としての紙幣を入出金するための紙幣取扱部６Ａと、硬貨を入出金するための硬貨取扱部６Ｂと、を有する。
【００１１】
カード３としては、例えば、情報を記憶するＩＣ（Integrated  Circuit）カード、磁気ストライプカード等のキャッシュカード、クレジットカード、マネーカード等が含まれており、宿泊施設等で用いられるカードキーも含まれる。図１以降において、紙葉類処理装置１の奥行き方向をＸ方向とし、紙葉類処理装置１の幅方向をＹ方向とし、紙葉類処理装置１の高さ方向をＺ方向として示す。
【００１２】
以下、紙葉類処理装置１が備えるカード取扱部５について、カード取扱装置５と称して説明する。本願の開示するカード取扱装置５は、いわゆるカードリーダや、カードリーダを備える電子機器に用いることが可能であり、ＡＴＭに適用されるものに限定されない。また、カード取扱装置５は、例えば、精算機や販売機等に適用されてもよい。
【００１３】
（カード取扱装置の構成）
図２は、実施例のカード取扱装置５を示す透視平面図である。図３は、実施例のカード取扱装置５を模式的に示す断面図である。図４は、実施例のカード取扱装置５の要部を示す斜視図である。図２、図３及び図４に示すように、カード取扱装置５は、カード３が挿入されるカード挿入口１１と、カード挿入口１１から挿入されたカード３を搬送する搬送機構１２と、カード３から情報を読み取る読取部１３と、を備える。また、カード取扱装置５は、カード挿入口１１への硬貨１０の挿入を規制する規制部材１４と、カード挿入口１１から落下した硬貨１０を受ける受け部材１５と、を備える。
【００１４】
カード挿入口１１は、カード取扱装置５のフレーム１７に取り付けられる規制部材１４と受け部材１５によって形成されており、紙葉類処理装置１の前面パネル１ａに開口部１ｂ内に配置されている。カード挿入口１１に対して、カード３の長辺方向がＸ方向に沿って移動されることで、カード３が挿脱される。カード挿入口１１は、フレーム１７に設けられてもよい。図２及び図３に示すように、搬送機構１２は、カード取扱装置５の内部において、カード挿入口１１に隣接して設けられた一対の搬送ローラ１２ａを含む搬送ローラ群を有しており、搬送ローラ群によって、カード３の搬送路１２ｂが構成されている。
【００１５】
読取部１３は、カード取扱装置５の内部において、搬送機構１２の搬送路１２ｂに沿って配置されており、搬送路１２ｂを送られるカード３から情報を読み取る。本実施例のカード取扱装置５は、読取部１３を備えるが、読取部１３に限定されるものではなく、カード３に対して情報の読取り及び書き込みを行うことが可能な読取書込部、いわゆるリーダライタを備えてもよい。
【００１６】
搬送機構１２、読取部１３は、カード取扱装置５のフレーム１７内に配置されている。規制部材１４及び受け部材１５は、図１に示すように、前面パネル１ａの開口部１ｂ内で、カード挿入口１１の周囲におけるフレーム１７にねじ止めされて固定されている。
【００１７】
（規制部材の形状）
図５は、実施例のカード取扱装置５の要部を説明するための正面図である。図６は、実施例のカード取扱装置５の要部を説明するための断面図である。図６は、図５におけるＡ−Ａ線に沿うＡ―Ａ断面図である。図７は、実施例のカード取扱装置５の要部を示す分解斜視図である。
【００１８】
規制部材１４は、図４、図５及び図６に示すように、カード挿入口１１から、カード３の挿入方向（方向）に沿ってカード挿入口１１の外側に突出して設けられている。規制部材１４は、図４及び図７に示すように、光透過性を有する樹脂材料等によって平板状に形成されており、カード挿入口１１の上縁１１ａから、カード３の挿入方向（Ｘ方向）に沿って延びる下面１４ａを有する。本実施例では、カード挿入口１１の上縁１１ａが、規制部材１４の下面１４ａによって形成されている。下面１４ａは、カード挿入口１１への硬貨１０の挿入を規制する機能と、カード挿入口１１へカード３に案内する機能とを有する。
【００１９】
図６に示すように、規制部材１４は、硬貨１０を保持した指先Ｆがカード挿入口１１に近づくとき、指先Ｆが規制部材１４に接することで硬貨１０の前進（カード挿入口１１に近づく移動）を規制するように形成されている。言い換えると、規制部材１４は、指先Ｆで保持した硬貨１０を、カード挿入口１１に挿入するための動作を妨げるように、カード挿入口１１から、カード３の挿入方向（Ｘ方向）に沿って突出する張り出し部分を有する。規制部材１４によって指先Ｆの動作が妨げられることにより、硬貨１０がカード挿入口１１に挿入されることが規制されている。なお、指先Ｆは、硬貨保持部の一例である。
【００２０】
図５及び図６に示すように、規制部材１４は、カード挿入口１１からの突出量Ｐが、カード挿入口１１への挿入が規制される複数種類の硬貨１０Ａ、１０Ｂにおける最大の硬貨１０Ｂの外径ＤＢ以上である。すなわち、規制部材１４は、カード挿入口１１からの下面１４ａの長さが、突出量Ｐである。
【００２１】
なお、本実施例における硬貨１０には、例えば、遊戯機器等で用いられる各種のコイン、メダルが含まれる。本実施例では、規制部材１４の下面１４ａの突出量Ｐが、複数種類の硬貨１０の外径に基づいて設定されているが、挿入を規制する対象となるコイン等の外径に応じて適宜設定されてもよい。
【００２２】
また、規制部材１４は、光透過性を有することにより、規制部材１４を通して、カード挿入口１１や、受け部材１５に載置された硬貨１０（以下、硬貨１０と称した場合には硬貨１０Ａ、１０Ｂを含めて指す。）を視認することが可能になる。このため、カード挿入口１１へカード３の前端を容易に挿入することが可能になると共に、受け部材１５上に落下した硬貨１０の位置を確認して、受け部材１５から硬貨１０をスムーズに取り出すことができる。
【００２３】
また、規制部材１４には、図４、図５及び図７に示すように、カード挿入口１１の周囲に取り付けるための一対の取付け片１４ｂが、Ｙ方向におけるカード挿入口１１の両側にそれぞれ設けられている。規制部材１４は、一対の取付け片１４ｂがネジ等でフレーム１７に固定されている。なお、カード挿入口１１がフレーム１７に設けられた場合には、規制部材１４の下面１４ａの位置を、カード挿入口１１の上縁１１ａの位置に一致させて、規制部材１４が、一対の取付け片１４ｂによってフレーム１７に固定される。
【００２４】
（受け部材の形状）
図４、図５及び図６に示すように、受け部材１５は、規制部材１４の下方に、カード挿入口１１に近づく硬貨１０が落下する空間１６をあけて設けられている。受け部材１５は、カード挿入口１１の下縁１１ｂを形成する切り欠き１５ａを有しており、切り欠き１５ａと規制部材１４の下面１４ａとの間に、カード挿入口１１が設けられている。
【００２５】
言い換えると、規制部材１４の下面１４ａと受け部材１５との間に確保された空間１６は、カード挿入口１１近傍から硬貨１０が落下可能な空間１６であり、受け部材１５上から硬貨１０を取り出すための指先Ｆを挿入可能な空間１６である。これにより、受け部材１５上に載せられた硬貨１０を指先Ｆで移動させて、受け部材１５から取り出すことが可能とされている。
【００２６】
また、受け部材１５には、図４、図５及び図７に示すように、カード挿入口１１の周囲に取り付けるための一対の取付け片１５ｂが、Ｙ方向におけるカード挿入口１１の両側にそれぞれ設けられている。受け部材１５は、一対の取付け片１５ｂがネジ等でフレーム１７に固定されている。なお、カード挿入口１１がフレーム１７に設けられた場合には、切り欠き１５ａの位置を、カード挿入口１１の下縁１１ｂの位置に一致させて、受け部材１５が一対の取付け片１５ｂによってフレーム１７に固定される。
【００２７】
また、図７に示すように、受け部材１５の一対の下ガイド部１８の上端には、規制部材１４の下面１４ａに突き当てられる上面１５ｃが形成されている。受け部材１５は、上面１５ｃが規制部材１４の下面１４ａに突き当てられて、規制部材１４と組み合わされることにより、カード挿入口１１の周囲に沿って閉じられる。これにより、受け部材１５は、手前側（Ｘ方向におけるカード挿入口１１とは反対側）以外の箇所から、硬貨１０が受け部材１５の外側へ脱落することを防いでいる。
【００２８】
受け部材１５には、カード３の挿入方向（Ｘ方向）に直交するカード３の幅方向（Ｙ方向）における両側に、カード３の位置を規制する一対の下ガイド部１８が設けられている。一対の下ガイド部１８によって、カード挿入口１１へ挿入されるカード３の幅方向（Ｙ方向）が規制されるので、カード３をカード挿入口１１に向かって容易に挿入することが可能になる。また、受け部材１５上に落下する硬貨１０は、一対の下ガイド部１８によって位置が規制されるので、受け部材１５の外側へ脱落することが抑えられる。
【００２９】
また、一対の下ガイド部１８は、カード挿入口１１へ挿入されるカード３の幅方向（Ｙ方向）に対する間隔が、カード挿入口１１に向かって徐々に小さくなるテーパ面１８ａを有する。これにより、カード挿入口１１にカード３を挿入するときに、一対の下ガイド部１８の各テーパ面１８ａに沿ってカード３の前端が案内されるので、カード挿入口１１にカード３をスムーズに挿入することが可能になる。
【００３０】
また、受け部材１５は、カード挿入口１１の下縁１１ｂから連続する複数の傾斜面１９ａと、傾斜面１９ａから連続する水平面１９ｂと、を有する。受け部材１５は、カード挿入口１１側に落下した硬貨１０を、傾斜面１９ａ上に沿って滑らせることで、受け部材１５の手前側（Ｘ方向におけるカード挿入口１１とは反対側）の水平面１９ｂに硬貨１０を導くことが可能に形成されている。このため、利用者は、受け部材１５に落下した硬貨１０を容易に取り出すことが可能になる。
【００３１】
なお、本実施例では、受け部材１５に一対の下ガイド部１８が設けられたが、下ガイド部１８と同様に、規制部材１４に上ガイド部が設けられてもよい。この場合、図示しないが、下ガイド部１８と同様に、規制部材１４における、カード３の挿入方向（Ｘ方向）に直交するカード３の幅方向（Ｙ方向）における両側には、カード３の位置を規制する一対の上ガイド部が設けられている。一対の上ガイド部は、カード挿入口１１へ挿入されるカード３の幅方向（Ｙ方向）に対する間隔が、カード挿入口１１に向かって徐々に小さくなるテーパ面を有する。また、規制部材１４と受け部材１５には、下ガイド部と上ガイド部がそれぞれ設けられてもよい。この場合、規制部材１４の下面１４ａと受け部材１５の上面１５ｃとが突き当てられて組み合わされたときに、下ガイド部のテーパ面と、上ガイド部のテーパ面とが一致するように形成される。
【００３２】
また、図示しないが、受け部材１５には、例えば、受け部材１５上に載置された硬貨１０の有無を検知するセンサが設けられてもよく、センサの検知信号に基づいて、受け部材１５を照明するように構成されてもよい。これにより、利用者は、受け部材１５から硬貨１０を容易に取り出すことができる。
【００３３】
（カード挿入口への硬貨の挿入の規制について）
以上のように構成されたカード取扱装置５の規制部材１４による、カード挿入口１１からの硬貨１０の挿入の規制について説明する。
【００３４】
カード取扱装置５の利用者が、カード挿入口１１に誤って硬貨１０を挿入する場合、図６に示すように、硬貨１０を保持した指先Ｆがカード挿入口１１に近づけながら、硬貨１０の前端がカード挿入口１１に到達することによって、硬貨１０がカード挿入口１１内に進入することになる。しかし、規制部材１４の下面１４ａは、カード挿入口１１からの突出量Ｐ、すなわち距離が、挿入されるおそれがある硬貨１０Ｂの外径ＤＢよりも大きいので、硬貨１０の前端がカード挿入口１１に到達する前に、硬貨１０を保持する指先Ｆが規制部材１４に接する。このように指先Ｆの動作が規制部材１４によって妨げられることで、硬貨１０がカード挿入口１１に挿入されることが規制される。
【００３５】
また、指先Ｆが規制部材１４に接したときにカード挿入口１１に到達しない硬貨１０が指先Ｆから離れた場合、落下した硬貨１０が受け部材１５によって受け止められる。このため、利用者は、カード挿入口１１に挿入されなかった硬貨１０を、受け部材１５上から容易に回収することができる。このとき、利用者は、光透過性を有する規制部材１４を通して、受け部材１５上の硬貨１０の位置を確認し、受け部材１５上から容易に取り出すことが可能とされている。
【００３６】
（実施例の効果）
上述した実施例のカード取扱装置５は、カード挿入口１１からカード３の挿入方向（Ｘ方向）に沿ってカード挿入口１１の外側に突出して設けられ、カード挿入口１１への硬貨１０の挿入を規制する規制部材１４を備える。例えば、規制部材１４は、硬貨１０を保持した指先Ｆがカード挿入口１１に近づくとき、指先Ｆが規制部材１４に接することで硬貨１０の前進を規制するように形成されている。これにより、硬貨１０の挿入を規制する規制部材１４が、カード挿入口１１の外部に設けられるので、カード取扱装置５の内部構造の複雑化を避けることが可能になる。したがって、実施例によれば、カード挿入口１１に硬貨１０が誤って挿入されることを、簡素な構造で防ぐことができる。また、実施例によれば、いわゆる外付けの追加部材として規制部材１４を、既存のカード取扱装置のカード挿入口に後付けすることにより、規制部材１４を容易に適用することができる。
【００３７】
また、実施例のカード取扱装置５における規制部材１４は、カード挿入口１１からの突出量Ｐが、カード挿入口１１への挿入が規制される複数種類の硬貨１０Ａ，１０Ｂにおける最大の硬貨１０Ｂの外径ＤＢ以上である。このような規制部材１４を備えることにより、複数種類の硬貨１０Ａ、１０Ｂの挿入を規制することができる。
【００３８】
また、実施例のカード取扱装置５における規制部材１４は、カード挿入口１１の上縁１１ａから、カード３の挿入方向（Ｘ方向）に沿って延びる下面１４ａを有しており、カード挿入口１１からの下面１４ａの長さが、突出量Ｐである。このため、下面１４ａは、カード挿入口１１への硬貨１０の挿入を規制すると共に、カード挿入口１１へのカード３の挿入を案内する機能を奏することができる。
【００３９】
また、実施例のカード取扱装置５における規制部材１４の下方には、カード挿入口１１に近づく硬貨１０が落下する空間１６をあけて、落下した硬貨１０を受ける受け部材１５が設けられている。これにより、カード挿入口１１に挿入されなかった硬貨１０を容易に回収することができる。また、受け部材１５上に硬貨１０が載置されるので、利用者が受け部材１５上の硬貨１０を目視することにより、利用者へ硬貨１０の挿入不能を容易に認識させることができると共に、カード挿入口１１への挿入が規制された硬貨１０の取り忘れを防ぐことができる。さらに、カード取扱装置５の内部から硬貨１０を排出する返却構造が不要となり、受け部材１５がカード挿入口１１の外側に配置されていることで、カード取扱装置５の内部構造を複雑化することなく、簡素な構造によって利用者へ硬貨１０を返却することができる。
【００４０】
また、実施例のカード取扱装置５における規制部材１４は、光透過性を有する。これにより、規制部材１４を通して受け部材１５上の硬貨１０を視認可能になるので、カード挿入口１１へカード３の前端を容易に挿入することができると共に、受け部材１５上に落下した硬貨１０を受け部材１５からスムーズに取り出すことができる。
【００４１】
また、実施例のカード取扱装置５の受け部材１５には、カード挿入口１１に挿入されるカード３の幅方向（Ｙ方向）における両側に、カード３の位置を規制する一対の下ガイド部１８が設けられている。これにより、カード挿入口１１へ挿入されるカード３の幅方向（Ｙ方向）が、一対の下ガイド部１８によって規制されるので、カード３をカード挿入口１１に向かって容易に挿入することができる。また、受け部材１５上に落下する硬貨１０の位置が、一対の下ガイド部１８によって規制されるので、受け部材１５の外側へ硬貨１０が脱落すことを抑えられる。
【００４２】
また、実施例のカード取扱装置５の受け部材１５の一対の下ガイド部１８は、カード挿入口１１に挿入されるカード３の幅方向（Ｙ方向）に対する間隔が、カード挿入口１１に向かって徐々に小さくなるテーパ面１８ａを有する。これにより、カード挿入口１１にカード３を挿入するときに、一対の下ガイド部１８の各テーパ面１８ａに沿ってカード３の前端を案内することが可能になり、カード３をカード挿入口１１にスムーズに挿入することができる。
【００４３】
また、実施例のカード取扱装置５の規制部材１４には、カード３の幅方向（Ｙ方向）における両側に、カード３の位置を規制する一対の上ガイド部が設けられてもよい。これにより、下ガイド部１８の作用と同様に、カード３をカード挿入口１１に向かって容易に挿入することができ、受け部材１５の外側へ硬貨１０が脱落することを抑えられる。また、一対の上ガイド部は、カード挿入口１１に挿入されるカード３の幅方向（Ｙ方向）に対する間隔が、カード挿入口１１に向かって徐々に小さくなるテーパ面を有してもよい。これにより、下ガイド部１８の作用と同様に、各テーパ面に沿ってカード３の前端を案内することが可能になり、カード挿入口１１にカード３をスムーズに挿入することができる。
【００４４】
なお、本発明における規制部材１４は、カード取扱装置５に適用されたが、紙幣挿入口を有する紙幣取扱装置に利用されてもよく、本発明と同様の効果を期待できる。
【符号の説明】
【００４５】
１  紙葉類処理装置
３  カード
５  カード取扱装置
１０  硬貨
１１  カード挿入口
１１ａ  上縁
１２  搬送機構
１４  規制部材
１４ａ  下面
１５  受け部材
１６  空間
１８  下ガイド部
１８ａ  テーパ面
Ｆ  指先（硬貨保持部）
Ｐ  突出量
ＤＢ  外径
【図１】
2020135661.tif 000003
【図２】
2020135661.tif 000004
【図３】
2020135661.tif 000005
【図４】
2020135661.tif 000006
【図５】
2020135661.tif 000007
【図６】
2020135661.tif 000008
【図７】
2020135661.tif 000009